(57)【要約】【目的】  結露の発生がより効果的に抑えられ、防湿性の高い芯材とその製造方法ならびに上記芯材を用いて作製される内装パネルを提供すること。【構成】  ハニカム体（１）の表裏面にシート（２）が配設され、シートは非水系接着剤によりハニカム体に接着され、非水系接着剤層が防湿層を形成している。【選択図】図１
2005231265.tif 000002
【特許請求の範囲】
【請求項１】
ハニカム体の表裏面にシートが配設された芯材であり、シートは非水系接着剤によりハニカム体に接着され、非水系接着剤層が防湿層を形成していることを特徴とする芯材。
【請求項２】
ハニカム体の表裏面にシートが配設された芯材であり、シートは非水系接着剤によりハニカム体に接着され、シートは防湿性を有していることを特徴とする芯材。
【請求項３】
ハニカム体の表裏面にシートが配設された芯材であり、シートは非水系接着剤によりハニカム体に接着され、非水系接着剤層が防湿層を形成し、かつシートは防湿性を有していることを特徴とする芯材。
【請求項４】
請求項１乃至３いずれか１項に記載の芯材において、非水系接着剤はホットメルト接着剤である芯材。
【請求項５】
ホットメルト接着剤は湿気硬化型である請求項４記載の芯材。
【請求項６】
請求項１乃至５いずれか１項に記載された芯材の製造方法であり、連続体とされたシートの裏面に非水系接着剤を塗布し、ハニカム体の表裏面にシートを配設することを特徴とする芯材の製造方法。
【請求項７】
請求項１乃至５いずれか１項に記載された芯材が枠内に充填され、表裏面に木質化粧板が配設されたことを特徴とする内装パネル。
【発明の詳細な説明】
【技術分野】
【０００１】
この出願の発明は、芯材とその製造方法ならびに芯材を用いて作製される内装パネルに関するものである。さらに詳しくは、この出願の発明は、結露の発生がより効果的に抑えられ、防湿性の高い芯材とその製造方法ならびに上記芯材を用いて作製される内装パネルに関するものである。
【背景技術】
【０００２】
扉、間仕切り、内壁パネル等に用いられる内装パネルには、種々の構造を有するものが提供されており、その一つとして、芯材にハニカム体を適用したものが知られている（たとえば、特許文献１参照）。
【０００３】
芯材は、ハニカム体の表裏に非透湿性シートを積層して形成され、この芯材の表裏に木質化粧板が固定され内装パネルが作製される。上記芯材を用いて作製される内装パネルでは、面材裏面からの湿気の吸収・放散が抑えられ、反りの発生が防止される。
【特許文献１】特開平１０−７１１号公報
【発明の開示】
【発明が解決しようとする課題】
【０００４】
しかしながら、上記芯材について詳しく検討したところ、非透湿性シートの積層に用いられる接着剤が汎用の接着剤とされており、酢酸ビニル樹脂系接着剤が使用されるため、芯材内に水分が残り、防湿性が確実に実現されないという問題が指摘される。酢酸ビニル樹脂系接着剤は水系接着剤であり、接着剤中の水分が発散して硬化する。このため、水系接着剤を用いて非透湿性シートをハニカム体の表裏に接着すると、水系接着剤の硬化にしたがい、ハニカム体内に水分が閉じ込められることになる。このような芯材を用いて作製した内装パネルでは、温度差が生ずると芯材内部で結露が発生する。場合によっては、内装パネルに反りが発生することもある。
【０００５】
この出願の発明は、このような事情に鑑みてなされたものであり、結露の発生がより効果的に抑えられ、防湿性の高い芯材とその製造方法ならびに上記芯材を用いて作製される内装パネルを提供することを解決すべき課題としている。
【課題を解決するための手段】
【０００６】
この出願の発明は、上記の課題を解決するものとして、第１には、ハニカム体の表裏面にシートが配設された芯材であり、シートは非水系接着剤によりハニカム体に接着され、非水系接着剤層が防湿層を形成していることを特徴とする芯材を提供する。
【０００７】
この出願の発明は、第２には、ハニカム体の表裏面にシートが配設された芯材であり、シートは非水系接着剤によりハニカム体に接着され、シートは防湿性を有していることを特徴とする芯材を提供する。
【０００８】
この出願の発明は、第３には、ハニカム体の表裏面にシートが配設された芯材であり、シートは非水系接着剤によりハニカム体に接着され、非水系接着剤層が防湿層を形成し、かつシートは防湿性を有していることを特徴とする芯材を提供する。
【０００９】
この出願の発明は、第４には、上記第１、第２、第３のいずれかの芯材において、非水系接着剤はホットメルト接着剤である芯材を提供する。
【００１０】
この出願の発明は、第５には、上記第４の芯材において、ホットメルト接着剤は湿気硬化型である芯材を提供する。
【００１１】
この出願の発明は、第６には、上記第１乃至第５いずれか１つの芯材の製造方法であり、連続体とされたシートの裏面に非水系接着剤を塗布し、ハニカム体の表裏面にシートを配設することを特徴とする芯材の製造方法を提供する。
【００１２】
この出願の発明は、第７には、上記第１乃至第５いずれか１つの芯材が枠内に充填され、表裏面に木質化粧板が配設された内装パネルを提供する。
【発明の効果】
【００１３】
この出願の発明の第１、第２の芯材によれば、結露の発生がより効果的に抑えられ、防湿性が高まる。
【００１４】
この出願の発明の第３の芯材によれば、上記第１、第２の芯材の効果がより高まる。
【００１５】
この出願の発明の第４の芯材によれば、非水系接着剤として好適となる。
【００１６】
この出願の発明の第５の芯材によれば、非水系接着剤としてより好適となる。
【００１７】
この出願の発明の第６の芯材の製造方法によれば、芯材の連続生産が可能となり、また、品質の安定した芯材を提供することができる。
【００１８】
この出願の発明の第７の内装パネルによれば、木質化粧板に防湿性を付与しなくとも、反りの発生がより一層抑制され、品質が安定化する。
【発明を実施するための最良の形態】
【００１９】
以下、この出願の発明の芯材とその製造方法ならびに芯材を用いて作製される内装パネルについてさらに詳しく説明する。
【００２０】
図１は、この出願の発明の芯材の概要を示した分解斜視図である。
【００２１】
この図１に示したように、この出願の発明の芯材は従来の芯材と同様に、ハニカム体（１）の表裏面にシート（２）が接着により配設される。一方、この出願の発明の芯材では、ハニカム体（１）の表裏面に接着する接着剤に非水系接着剤が採用される。非水系接着剤は、硬化に際し水分が発散することはないため、シート（２）が表裏面に固定された後、ハニカム体（１）の内部に水分が残ることはない。したがって、結露の発生は防止される。
【００２２】
また、この出願の発明の芯材では、そのような非水系接着剤により形成されるハニカム体（１）とシート（２）の間の層、すなわち非水系接着剤層を防湿層とすることができる。この場合、シート（２）の構成、材質等いかんによらずに、防湿性を有する芯材とすることができる。また、この出願の発明の芯材では、非水系接着剤層を防湿層とせずに、シート（２）に防湿性を有するものを採用し、芯材の防湿性を実現することもできる。この場合のシート（２）としては、図２の要部断面図に示したように、表裏の紙基材（３）の間にポリエチレンシート（４）等の合成樹脂シート、あるいは金属箔等を介設し、積層されたものを用いることができる。好ましくは、シート（２）には、非伸縮性のものが採用される。非伸縮性のものであると、芯材を撓ませる方向に力が加わったとき、シート（２）の非伸縮性により芯材の撓みを抑制でき、芯材の剛性を高くすることができるからである。
【００２３】
芯材の防湿性を高めるためには、この出願の発明の芯材では、非水系接着剤層を防湿層とし、シート（２）として防湿性を有するものを採用するのが好ましい。
【００２４】
前記非水系接着剤としては、ホットメルト、２液反応型接着剤、溶剤系接着剤が例示され、これらの接着剤は湿気硬化型であることが望ましい。湿気硬化型のホットメルトは、空気中の水分（湿気）と反応して硬化するものであり、たとえばＰＵＲ（Poly Urethane Reactive）が好ましく例示される。ＰＵＲは、ポリウレタン系の樹脂を主原料とする接着剤であり、加熱溶解の後、空気中の水分（湿気）と反応して硬化する。ハニカム体（１）とシート（２）とをそのような湿気硬化型ホットメルトで接着する場合は、湿気硬化型ホットメルトはハニカム体（１）のコア内の水分と反応して硬化するため、ハニカム体（１）のコア内の水分量を一層低下させることができ、芯材内部の結露の発生を一層抑制することができる。また、特にＰＵＲを用いる場合は、水分と反応して硬化した後は再び熱で溶解されず、芯材が多少の熱間雰囲気に晒される場合にも、ハニカム体（１）からシート（２）が剥がれ落ちることがなく、芯材の剛性が維持される。ハニカム体（１）からシート（２）が剥がれ落ちると、コアがフリー状態となり、撓みに対する抵抗力がなくなり、芯材の剛性が低下することになる。
【００２５】
２液反応型接着剤は、主剤と硬化剤を混合し、化学反応によって硬化するものであり、たとえばウレタン系接着剤が例示される。溶剤系接着剤は、接着剤中の溶剤が気化発散して硬化するものである。これらいずれのものも非水系接着剤であり、この出願の発明の芯材に適用可能である。
【００２６】
たとえば以上に示されるこの出願の発明の芯材は、図３に示したようにして連続的に生産することが可能である。すなわち、この出願の発明の芯材の製造方法では、連続体とされたシート（２）の裏面に非水系接着剤（５）を塗布し、ハニカム体（１）の表裏面にシート（５）を圧着等により配設することができる。非水系接着剤（５）としてホットメルトを用いる場合、シート（２）の裏面にホットメルトを送り方向の先頭側から順次塗布し、塗布した部分から順次ハニカム体（１）に貼り付けていくことができ、長尺の芯材も容易に製造可能となる。この出願の発明の芯材の製造方法は、芯材の連続生産を可能にし、また、品質の安定した芯材を提供することができる。生産された芯材は、所定の寸法に切断することができる。切断寸法は任意に変えることができる。
【００２７】
このようにして製造される芯材を用いた扉、間仕切り、内壁パネル、キャビネットの側板等に適用可能なこの出願の発明の内装パネルは次のような構成を有する。たとえば図４に示したように、枠（６）内に所定サイズを有するこの出願の発明の芯材（７）が充填され、表裏面に木質化粧板（８）が配設される。芯材（７）は、図４に示したように分割されたものであっても、１枚ものであってもよく、分割は横方向の他、縦方向としても、また、縦方向と横方向と組み合わせることができる。内装パネルの構成に応じて適当な芯材（７）を選択し、使用することができる。
【００２８】
この出願の発明の内装パネルは、前述のとおりの非水系接着剤によりシート（２）がハニカム体（１）の表裏に接着された芯材（７）が用いられるため、木質化粧板（８）に防湿性を付与しなくとも、反りの発生がより一層抑制された品質の安定した内装パネルとなる。
【００２９】
もちろん、この出願の発明は、以上の実施形態によって限定されるものではない。ハニカム体の形状、材質、構成やシートの構成、材質、また、木質化粧板の構成等の細部については様々な態様が可能であることはいうまでもない。
【産業上の利用可能性】
【００３０】
以上詳しく説明したとおり、この出願の発明によって、結露の発生がより効果的に抑えられ、防湿性の高められた芯材とその製造方法ならびに上記芯材を用いて作製される内装パネルが提供される。
【図面の簡単な説明】
【００３１】
【図１】この出願の発明の芯材の概要を示した分解斜視図である。
【図２】防水シートの一形態を示した要部断面図である。
【図３】この出願の発明の芯材の製造方法を概略的に示した斜視図である。
【図４】この出願の発明の内装パネルをその作製工程とともに示した斜視図である。
【符号の説明】
【００３２】
１    ハニカム体
２    シート
３    紙基材
４    ポリエチレンシート
５    非水系接着剤
６    枠
７    芯材
８    木質化粧板
【図１】
2005231265.tif 000003
【図２】
2005231265.tif 000004
【図３】
2005231265.tif 000005
【図４】
2005231265.tif 000006